(57)【要約】【課題】  光源の接続される回路に供給される電圧が予め決定されている場合であっても、光源が接続される回路に供給される電圧を変更することなく、性能や価格に対応する最適な種類や数の光源を選択することができる照明装置を提供する。【解決手段】  電気光学パネル２に照明光を照射するための照明装置であって、光源３６と電圧調整手段３３とが直列に接続され、前記電圧調整手段３３は、前記回路３２に供給される電圧を分圧するものである照明装置とする。【選択図】    図３
2007065133.tif 000002
【特許請求の範囲】
【請求項１】
電気光学パネルに照明光を照射するための照明装置であって、
光源と電圧調整手段とが直列に接続され、
前記電圧調整手段は、前記回路に供給される電圧を分圧するものであることを特徴とする照明装置。
【請求項２】
前記回路は、所定の電圧電流特性に対応する電圧が外部から供給されるものであり、
前記電圧調整手段は、前記回路に接続されることにより、前記光源の電圧電流特性と前記所定の電圧電流特性との差を小さくする電圧電流特性を有するものであることを特徴とする請求項１に記載の照明装置。
【請求項３】
前記光源が発光ダイオードからなり、前記電圧調整手段が前記発光ダイオードと逆方向に接続されたツェナーダイオードからなることを特徴とする請求項１または請求項２に記載の照明装置。
【請求項４】
前記光源が発光ダイオードからなり、前記電圧調整手段がバリスタからなることを特徴とする請求項１または請求項２に記載の照明装置。
【請求項５】
前記光源が発光ダイオードからなり、前記電圧調整手段が抵抗とショットキーダイオードとからなることを特徴とする請求項１または請求項２に記載の照明装置。
【請求項６】
前記電圧調整手段が、前記光源よりもマイナス端子側に配置されていることを特徴とする請求項１から請求項５のいずれか一項に記載に記載の照明装置。
【請求項７】
請求項１から請求項６のいずれか一項に記載の照明装置と、前記照明装置から出射される照明光が入射される電気光学パネルとを備えたことを特徴とする電気光学装置。
【請求項８】
請求項７に記載の電気光学装置を備えることを特徴とする電子機器。
【発明の詳細な説明】
【技術分野】
【０００１】
本発明は、照明装置、電気光学装置及び電子機器に関するものである。
【背景技術】
【０００２】
現在、携帯電話機、携帯情報端末機等の電子機器には、電気光学装置が広く使用されている。電気光学装置としては、液晶パネル等といった電気光学パネルと、その電気光学パネルに照明光を照射する照明装置とを備えたものが知られている（例えば、特許文献１参照）。特許文献１に記載の照明装置は、光源として３個のＬＥＤ（発光ダイオード）を備えたものである。照明装置の光源として使用されるＬＥＤには、輝度や色などの性能の異なる多数の種類のものが知られている。
【特許文献１】特開２００３−２５７２３０号公報
【発明の開示】
【発明が解決しようとする課題】
【０００３】
照明装置の光源の種類や数は、要求される性能や価格に応じて適宜決定されることが望ましい。ところが、光源の接続される回路に供給される電圧が、所定の電圧電流特性に対応する電圧に予め設定されている場合、光源を選択する際における自由度が非常に低くなってしまう。なぜなら、光源の電圧電流特性は、光源の種類や数によって異なるにもかかわらず、回路の電圧が所定の電圧に予め設定されている場合には、光源の電圧電流特性を所定の電圧電流特性となるようにしなければならないためである。その結果、回路の電圧が、所定の電圧に予め設定されている場合には、性能や価格に対応する最適な種類や数の光源を選択できない場合があった。
例えば、３個のＬＥＤからなる光源の接続される回路を備え、光源の接続される回路に供給される電圧が外部機器側で予め設定されている場合に、光源を同程度の輝度を有する２個のＬＥＤに変更したくても、変更すると２個のＬＥＤに印加される電圧が大きくなりすぎて、ＬＥＤが劣化するため変更できなかった。
また、この問題を解決する方法として、光源の電圧電流特性に対応するように、光源の接続された回路の電圧を変更する方法が考えられる。しかし、回路の電圧を変更するには、非常に手間がかかり、生産性が低下する。
【０００４】
本発明は、上記課題を鑑みてなされたものであり、光源の接続される回路に供給される電圧が予め決定されている場合であっても、光源が接続される回路の電圧を変更することなく、性能や価格に対応する最適な種類や数の光源を選択することができる照明装置を提供することを目的とする。また、この照明装置を備えた安価で所定の表示性能が得られる電気光学装置及び電子機器を提供することを目的とする。
【課題を解決するための手段】
【０００５】
本発明の照明装置は、電気光学パネルに照明光を照射するための照明装置であって、光源と電圧調整手段とが直列に接続され、前記電圧調整手段は、前記回路に供給される電圧を分圧するものであることを特徴とする。
このような照明装置によれば、電圧調整手段が回路に接続されることにより、光源に印加される電圧が大きくなりすぎる不都合を防止することができるので、光源が接続される回路に供給される電圧を変更することなく、性能や価格に対応する最適な種類や数の光源を選択できる。したがって、光源を選択する際における電圧電流特性の条件を緩和することができ、性能や価格に対応する最適な種類および数の光源を用いた優れた照明装置を提供できる。
【０００６】
また、本発明の照明装置においては、前記回路は、所定の電圧電流特性に対応する電圧が外部から供給されるものであり、前記電圧調整手段は、前記回路に接続されることにより、前記光源の電圧電流特性と前記所定の電圧電流特性との差を小さくする電圧電流特性を有するものであるものとすることができる。
【０００７】
本発明によれば、電圧調整手段が、回路に接続されることにより、前記回路の光源の電圧電流特性と前記所定の電圧電流特性との差を小さくする電圧電流特性を有するものであるので、回路が所定の電圧電流特性に対応する電圧が供給されるものであっても、性能や価格に対応する最適な種類や数の光源を選択できる。すなわち、本発明では、光源の電圧電流特性と所定の電圧電流特性との差が、電圧調整手段を回路に接続することによって補償される。したがって、光源を選択する際における電圧電流特性の条件を緩和することができ、性能や価格に対応する最適な種類および数の光源を用いた優れた照明装置を提供できる。また、本発明では、光源の電圧電流特性に対応するように、光源の接続された回路の電圧を変更する必要がないので、生産性を低下させることはない。
【０００８】
ここで、図７および図８を用いて、本発明の原理について例を挙げて説明する。
図７は、照明装置の光源としてＬＥＤが接続された回路を示した図である。図７（ａ）に示す回路は、ＬＥＤ１と、ＬＥＤ２と、ＬＥＤ１およびＬＥＤ２よりもマイナス端子側にＬＥＤ１およびＬＥＤ２と逆方向に接続されたツェナーダイオードＤ（電圧調整手段）とが直列に接続された直列回路である。また、図７（ｂ）に示す回路は、ＬＥＤ３とＬＥＤ４とが直列に接続された直列回路であり、図７（ｃ）に示す回路は、ＬＥＤ５とＬＥＤ６とＬＥＤ７とが直列に接続された直列回路である。
図７（ａ）、図７（ｃ）、図７（ｂ）に示す回路の電圧は、ＬＥＤ５とＬＥＤ６とＬＥＤ７の３個分の電圧電流特性（所定の電圧電流特性）に対応する電圧が供給されるように予め設定されている。なお、図７に示す例では、ＬＥＤ１とＬＥＤ２、および、ＬＥＤ３とＬＥＤ４は、それぞれ２個のＬＥＤで、ＬＥＤ５とＬＥＤ６とＬＥＤ７の３個分の輝度が得られるものである。
【０００９】
また、図７（ａ）に示すツェナーダイオードＤは、回路に接続されることにより、回路の電圧電流特性と所定の電圧電流特性との差を小さくする電圧電流特性を有するものである。より具体的には、回路に接続されることにより、ＬＥＤ１とＬＥＤ２の２個分の電圧電流特性とＬＥＤ５とＬＥＤ６とＬＥＤ７の３個分の電圧電流特性との差を補償する電圧電流特性を有するものである。
【００１０】
また、図８（ａ）は、ＬＥＤの電圧電流特性曲線（Ｉ−Ｖ特性）を示したグラフである。図８（ａ）において、符号ａは、図７（ａ）および図７（ｂ）に示すＬＥＤ１〜ＬＥＤ４のＩ−Ｖ特性を示し、符号ｂは、図７（ｃ）に示すＬＥＤ５〜ＬＥＤ７のＩ−Ｖ特性を示している。また、図８（ｂ）は、図７（ｃ）に示す回路のＩ−Ｖ特性を示したグラフである。図８（ｂ）において、符号ｃは、Ｉ−Ｖ特性の平均値を示し、斜線は、Ｉ−Ｖ特性のばらつき範囲を示している。また、図８（ｃ）は、図７（ａ）に示すツェナーダイオードのＩ−Ｖ特性を示したグラフである。
【００１１】
ここで、図７（ｂ）に示す回路と、図７（ｃ）に示す回路とを比較すると、図７（ｂ）に示す回路では、図７（ｃ）に示す回路の３個のＬＥＤ５、ＬＥＤ６、ＬＥＤ７に代えて、２個のＬＥＤ３、ＬＥＤ４が接続されている。ＬＥＤ３とＬＥＤ４は、ＬＥＤ５とＬＥＤ６とＬＥＤ７の３個分の輝度が得られるものであるため、図７（ｂ）に示す回路では、照明装置から出射される照明光の輝度を低下させることなく、ＬＥＤの数を３個から２個に減らすことができるので、照明装置を構成する光源の配置面積を縮小することができ、電子機器の小型化に寄与できる。また、ＬＥＤの数を３個から２個に減らすことができるため安価となる。
【００１２】
しかしながら、図７（ｂ）に示す回路に接続された１個のＬＥＤの電圧電流特性ａは、図８（ａ）に示すように、図７（ｃ）に示す回路に接続された１個のＬＥＤの電圧電流特性ｂよりも、降伏電圧が低くなっている。さらに、図７（ｂ）に示す回路では、図７（ｃ）に示す回路よりもＬＥＤの数が１個少ない。したがって、図７（ｃ）に示す回路よりも図７（ｂ）に示す回路の方が、ＬＥＤの必要とする電圧が非常に少なくなる。よって、回路に供給する電圧を変更させなければならないという不都合が生じる。そして、図７（ｂ）に示す回路に供給する電圧を変更しない場合には、ＬＥＤ３およびＬＥＤ４に印加される電圧が大きすぎることによってＬＥＤ３およびＬＥＤ４が劣化する。
【００１３】
これに対し、図７（ａ）に示す回路では、ＬＥＤ１とＬＥＤ２の他にツェナーダイオードＤが直列に接続されている。図７（ａ）に示す回路において、ＬＥＤ１とＬＥＤ２とが必要とする電圧は、図７（ｂ）と同様に図７（ｃ）に示す回路よりも非常に小さい。しかし、図８（ｃ）に示すツェナーダイオードＤの逆方向の降伏電圧△Ｖは、図８（ａ）に示すＬＥＤの降伏電圧と比較して大きい。また、図８（ａ）および図８（ｃ）に示すように、ＬＥＤのＩ−Ｖ特性とツェナーダイオードの逆方向のＩ−Ｖ特性とは、降伏電圧に達してからの特性曲線が近似している。このため、図７（ａ）に示す回路では、図７（ｂ）に示す回路と図７（ｃ）に示す回路との電圧電流特性の差に相当する電圧が、ツェナーダイオードＤが接続されることにより補償される。したがって、図７（ａ）に示す回路のＩ−Ｖ特性が、図７（ｃ）のＩ−Ｖ特性に近似する。よって、回路に供給する電圧を変更する必要はない。
【００１４】
さらに、ツェナーダイオードＤは、ＬＥＤと比較して小さいものであるし、図７（ａ）に示す回路では、図７（ｃ）に示す回路と比較してＬＥＤの数を減らすことができる。したがって、図７（ａ）に示す回路では、図７（ｃ）に示す回路と比較して、照明装置を構成する光源の配置面積を縮小することができ、電子機器の小型化に寄与できる。
また、ツェナーダイオードＤは、電気光学パネルにむらなく照明光を照射するために配置位置が限定されるＬＥＤと比較して、配置に対する制限が少ない。このため、図７（ａ）に示す回路では、図７（ｃ）に示す回路と比較して、照明装置を設計する際における設計の自由度を向上させることができる。
しかも、ツェナーダイオードＤは、ＬＥＤと比較して安価であるので、図７（ａ）に示す回路は、図７（ｃ）に示す回路と比較して安価となる。
【００１５】
また、ＬＥＤは、ツェナーダイオードと比較して、Ｉ−Ｖ特性のばらつきが大きいものである。さらに、図７（ｃ）に示す回路では、ＬＥＤが３個接続されているので、図８（ｂ）に示すように、回路のＩ−Ｖ特性のばらつきが非常に大きい。
これに対し、図７（ａ）に示す回路では、図７（ｃ）に示す回路と比較してばらつきの大きいＬＥＤの数が１つ少なくなり、ばらつきの小さいツェナーダイオードが新たに接続されている。その結果、図７（ａ）に示す回路は、図７（ｃ）に示す回路と比較してＩ−Ｖ特性のばらつきが小さいものとなる。しかも、図７（ａ）に示す回路のＩ−Ｖ特性が、図７（ｃ）のＩ−Ｖ特性のばらつき範囲内で近似するものとなる。したがって、図７（ａ）に示す回路では、図７（ｃ）に示す回路と比較して、照明装置から出射される照明光の輝度のばらつきが小さいものとなる。
【００１６】
また、本発明の照明装置では、前記光源が発光ダイオードからなり、前記電圧補償手段がツェナーダイオードからなるものとすることができる。
ＬＥＤのＩ−Ｖ特性とツェナーダイオードの逆方向のＩ−Ｖ特性とは、降伏電圧に達してからの特性曲線が近似している。したがって、上述した照明装置によれば、電圧調整手段が回路に接続されることにより、回路の電圧電流特性と所定の電圧電流特性との差を効果的に小さくすることができ、回路の電圧電流特性と所定の電圧電流特性とを容易に近似させることができる。
【００１７】
また、本発明の照明装置では、前記光源が発光ダイオードからなり、前記電圧調整手段がバリスタからなるものとすることができる。
バリスタ（電圧依存性抵抗素子）は、電圧が小さいときは高抵抗を示し、降伏電圧（バリスタ電圧）以上の電圧を加えると導通状態になり、大電流が流れるものであり、ＬＥＤのＩ−Ｖ特性と近似するＩ−Ｖ特性を有するものである。したがって、上述した照明装置によれば、電圧調整手段が回路に接続されることにより、回路の電圧電流特性と所定の電圧電流特性との差を効果的に小さくすることができ、回路の電圧電流特性と所定の電圧電流特性とを容易に近似させることができる。
また、バリスタは、ＬＥＤやツェナーダイオードと比較して非常に小型であるので、照明装置を構成する光源の配置面積を効果的に縮小することができ、電子機器の小型化に寄与できる。
【００１８】
また、本発明の照明装置では、前記光源が発光ダイオードからなり、前記電圧調整手段が抵抗とショットキーダイオードとからなるものとすることができる。
電圧調整手段を抵抗とショットキーダイオードとを組み合わせたものとした場合、電圧調整手段のＩ−Ｖ特性が、ＬＥＤのＩ−Ｖ特性と近似するものとなる。したがって、上述した照明装置によれば、電圧調整手段が回路に接続されることにより、回路の電圧電流特性と所定の電圧電流特性との差を効果的に小さくすることができ、回路の電圧電流特性と所定の電圧電流特性とを容易に近似させることができる。
【００１９】
また、本発明の照明装置では、前記電圧調整手段が、前記光源よりもマイナス端子側に配置されているものとすることができる。
このような照明装置とすることで、外来ノイズに起因する異常動作を効果的に防止することができる。
【００２０】
また、本発明の電気光学装置は、上記のいずれか一項に記載の照明装置と、前記照明装置から出射される照明光が入射される電気光学パネルとを備えたことを特徴とする。
このような電気光学装置とすることで、安価で生産性に優れ、所定の照明性能が得られる照明装置を備え、所定の表示性能が得られる電気光学装置が実現される。
【００２１】
本発明において、電気光学材料もしくは電気光学装置とは、電界により物質の屈折率が変化して光の透過率を変化させる電気光学効果を有するものの他、電気エネルギーを光学エネルギーに変換するもの等も含んで総称している。例えば、電気光学材料としては、対向する電極間に挟持された液晶素子や、有機或いは無機のＥＬ素子が挙げられる。
【００２２】
また、本発明の電子機器は、上記のいずれかの電気光学装置を備えることを特徴としている。
このような電子機器は、本発明の電気光学装置を備えたものであるので、十分な表示性能が得られる安価なものとなる。
【発明を実施するための最良の形態】
【００２３】
以下、本発明の照明装置および電気光学装置を電気光学装置の一例である液晶表示装置に適用した場合の実施形態を例に挙げて説明する。なお、以降の説明では図面を用いて各種の構造を例示するが、これらの図面に示される構造は特徴的な部分を分かり易く示すために実際の構造に対して寸法を異ならせて示す場合がある。
【００２４】
（電気光学装置の第１実施形態）
まず、電気光学装置の第１実施形態に係る液晶表示装置について説明する。
図１は、本実施形態に係る液晶表示装置１の平面構造を示している。図２は、図１に示す液晶表示装置１の側面構造を示している。図３は、図１に示す液晶表示装置１のうち配線基板の平面構造を示す図であって、図１の裏面側から見た配線基板の下面図である。図４は、配線基板を電気光学パネルに組み込んだ際の側面構造を示している。図５は、図４の符号Ａを拡大した図であって、配線基板と電気光学パネルとの接続部の近傍を示す断面図である。
【００２５】
本実施形態の液晶表示装置１は、液晶パネル（電気光学パネル）２と、当該液晶パネル２に接続されたＦＰＣ（配線基板、Flexible Printed Circuit）基板３と、液晶パネル２に照明光を照射するための照明装置５とを有する。
液晶パネル２は、図２に示すように、素子基板６と対向基板４とを有する。基板４，６は、図１に示すように矩形状であり、環状のシール材７によって貼り合わされている。基板４，６の間には、セルギャップが形成され、そのセルギャップ内に液晶（電気光学材料）が封入されて液晶層を構成している。
【００２６】
図２において、素子基板６は第１の基板６ａを有し、この基板６ａの外側表面に偏光板１２ａが装着されている。他方、第１基板６ａの内側表面、すなわち液晶側の表面には図１に示す複数の直線状のデータ線８が形成されている。また、各データ線８に沿って複数のＴＦＤ（Ｔｈｉｎ Ｆｉｌｍ Ｄｉｏｄｅ）素子９が形成され、さらに、各ＴＦＤ素子９に対応して画素電極１１が形成されている。ＴＦＤ素子９は非線形抵抗素子であり、スイッチング素子として機能する。
【００２７】
個々のＴＦＤ素子９の第１電極は、データ線８に接続される。また、個々の画素電極１１は、個々のＴＦＤ素子９の第２電極に接続される。複数のデータ線８は個々が互いに平行に並び、全体としてストライプ状に形成されている。また、複数の画素電極１１は、行方向Ｘ及び列方向Ｙに並べられて、全体としてドットマトリクス状に配列されている。素子基板６の液晶側表面には、上記の要素の他に必要に応じて他の光学要素、例えば、層間絶縁膜、配向膜等が形成される。
【００２８】
図２および図４に示すように、素子基板６に対向する対向基板４は、第２の基板４ａを有し、基板４ａの外側表面に偏光板１２ｂが装着されている。偏光板１２ｂの外側表面には、光学シート１２ｃが設けられている。光学シート１２ｃの外側表面には、ＦＰＣ３が液晶パネル２に組み込まれることにより照明装置５を構成する導光板１２ｄが設けられており、ＬＥＤ３６の照明光を光学シート１２ｃの全面に向けて導くようになっている。また、導光板１２ｄの外側表面には、反射板（図示略）が設けられており、導光板１２ｄによって導かれた照明光を、対向基板４の側に反射させるようになっている。
【００２９】
他方、第２基板４ｂの内側表面には、図１に示す複数の帯状電極１３が形成され、走査電極として機能する。帯状電極１３は、個々がデータ線８に対して直角方向（すなわち、行方向Ｘ）に延び、全体としてストライプ状に形成されている。個々の帯状電極１３は、素子基板６上で行方向Ｘに並ぶ複数の画素電極１１と平面視でドット状に重なり合っている。
【００３０】
また、素子基板６を構成する第１基板６ａの液晶側表面には、帯状電極の他にカラーフィルタ層、配向膜、その他必要に応じて各種の光学要素が形成される。複数の画素電極１１と複数の帯状電極１３とが重なり合って形成されたサブ画素は、画素電極１１と同じく行方向Ｘ及び列方向Ｙに沿ってドットマトリクス状に並ぶことになる。そして、そのように並んだ複数のサブ画素によって表示領域Ｖ（図１）が形成されている。
【００３１】
液晶パネル２に接続されたＦＰＣ基板３は、図３に示すように、複数の入力端子１８、制御回路部１９、及び、複数の出力端子２１を有する。ＦＰＣ基板３は、図５に示すように、ポリイミド等のフィルム基板からなるベースフィルム２７と、ベースフィルム２７の表面に形成された配線パターンである出力端子２１と、出力端子２１を覆って保護する保護膜２８とを有している。入力端子１８は、液晶表示装置１に付設された集積回路等に接続される端子である。入力端子１８から入力される信号は、入力配線を通じて制御回路部１９に与えられるようになっている。また、制御回路部１９は、複数の電子部品からなり、例えば、電源用ＩＣ３４、制御用ＩＣ３５などの電子部品を備えている。
【００３２】
本実施形態においては、照明装置５を構成する回路３２が、制御回路部１９に設けられている。回路３２は、２つのＬＥＤ（光源）３６、３６と電圧調整手段３３とが配線パターン３７によって直列に接続された直列回路であり、予め決定された所定のＩ−Ｖ特性に対応する電圧が供給されるものである。また、図３において、符号３１で示す矢印は、電流のマイナス方向（順方向）を示しており、電圧調整手段３３は、２つのＬＥＤ３６、３６よりもマイナス端子側に配置されている。ＬＥＤ３６、３６の数および種類は、液晶パネル２に十分な輝度の照明光をむらなく照射できる最低限度の数および種類であり、ＬＥＤを３個とした場合よりも安価となるものである。ＬＥＤ３６、３６は、符号Ｂに示す方向に照明光を出射するようになっている。
【００３３】
また、電圧調整手段３３は、回路３２に接続されることにより回路３２のＩ−Ｖ特性と所定のＩ−Ｖ特性との差を小さくするＩ−Ｖ特性を有するものである。電圧調整手段３３としては、Ｉ−Ｖ特性がＬＥＤのＩ−Ｖ特性と近似するものを用いることが望ましく、例えば、発光ダイオードと逆方向に接続されたツェナーダイオード、バリスタ、抵抗とショットキーダイオードとを組み合わせたものからなるものを用いることができる。
【００３４】
また、本実施形態においては、図４に示すように、ＦＰＣ基板３が湾曲されることにより、照明装置５のＬＥＤ３６の光出射側を導光板１２ｄの側面に接触させることで、照明装置５を液晶パネル２に組み込ませている。このような構成により、ＬＥＤ３６から出射される照明光は、導光板１２ｄの内部において符号３６ａに示す方向に進むと共に、光学シート１２ｃや反射板によって符号３６ｂに示す方向に出射される。これにより、ＬＥＤ３６の照明光を液晶パネル２に照射することが可能となる。
また、ＦＰＣ基板３を湾曲させる構成においては、制御回路部１９と液晶パネル２とが対向配置されている。また、液晶パネル２を構成する駆動用ＩＣ２３（駆動回路部）に対して、制御回路部１９が対向配置され、駆動用ＩＣ２３と制御回路部１９との間には隙間領域４５が形成されている。
【００３５】
また、図４において、第１基板６ａは第２基板４ａの外側へ張り出す張出し部１４を有する。この張出し部１４の表面には、図５に示すように、配線１６及び外部接続端子１７が形成されている。配線１６は張出し部１４上に複数形成されており、図５の紙面垂直方向に所定の間隔をおいて互いに平行に設けられ、個々の配線１６は図５の左右方向へ延びている。また、外部接続端子１７は、図１に示すように、張出し部１４上に複数形成されており、互いに間隔をおいて平行に並ぶように形成されている。図５に示すように、張出し部１４上には駆動用ＩＣ２３が実装され、駆動用ＩＣ２３のバンプがＡＣＦ２４（Anisotropic Conductive Film）内に分散された導電粒子２６によって配線１６及び外部接続端子１７に導電接続されている。
【００３６】
また、ＦＰＣ基板３の全体は、ＡＣＦ２４の樹脂によって張出し部の辺端に固着されている。また、ＦＰＣ基板３の出力端子２１が、ＡＣＦ２４内の導電粒子２６によって張出し部１４上の外部接続端子１７に導電接続されている。また、張出し部１４とＦＰＣ基板３との接続部分において保護膜２８が形成されていない部分には、絶縁材２９が設けられている。この絶縁材２９は、図１に示すように、ＦＰＣ基板３の液晶パネル２への接続部分の幅方向の全域に設けられている。
また、駆動用ＩＣ２３には、これを被覆するように、銅箔からなる金属箔（導電性部材）４１が設けられている。また、金属箔４１の一部は、液晶表示装置１のフレームに接続され、接地状態となっている。なお、本実施形態では、駆動用ＩＣ２３を被覆する金属箔４１が設けられているものとしたが、金属箔４１は設けなくてもよい。
【００３７】
本実施形態の電気光学装置では、照明装置５の電圧調整手段３３が、回路３２に接続されることにより、回路３２のＩ−Ｖ特性と所定のＩ−Ｖ特性との差を小さくするＩ−Ｖ特性を有するものであるので、ＬＥＤ３６、３６を選択する際におけるＩ−Ｖ特性の条件を緩和することができ、ＬＥＤ３６、３６の数および種類を液晶パネル２に最適なものとすることができる。したがって、本実施形態の照明装置５は、性能や価格に対応する最適な種類および数の光源を用いることができ、光源の配置面積の縮小や価格の低下を実現できる優れたものとなる。また、本実施形態の照明装置５は、光源であるＬＥＤ３６、３６の電圧電流特性に対応するように、ＬＥＤ３６、３６の接続された回路の電圧を変更する必要がないので、生産性を低下させることはない。また、本実施形態の照明装置５は、電圧調整手段３３が、ＬＥＤ３６、３６よりもマイナス端子側に配置されているので、外来ノイズに起因する異常動作を効果的に防止することができる。
【００３８】
（電気光学装置のその他の実施形態）
以上の実施形態では、電気光学装置の１つである液晶表示装置に対して本発明を適用したが、本発明は、液晶表示装置以外の電気光学装置として、例えば、ＥＬ（エレクトロルミネッセンス）表示装置に適用することができる。また、ＥＬ表示装置としては、有機ＥＬ或いは無機ＥＬを採用することができる。
このようなＥＬ表示装置では、性能や価格に対応する最適な種類および数の光源を用いた生産性に優れた照明装置を備えたものとなる。なお、ＥＬ表示装置以外にも、プラズマ表示装置等にも適用できる。
【００３９】
また、以上の実施形態では、スイッチング素子として２端子型の素子であるＴＦＤ素子を用いたアクティブマトリクス型の液晶表示装置に対して本発明を適用したが、本発明は、３端子型のスイッチング素子であるＴＦＴ（Thin Film Transistor）素子を用いたアクティブマトリクス型の液晶表示装置にも適用できる。また、本発明は、スイッチング素子を用いない単純マトリクス型の液晶表示装置にも適用できる。
【００４０】
（電子機器の実施形態）
以下、本発明に係る電子機器の実施形態について説明する。なお、この実施形態は本発明の一例を示すものであり、本発明はこの実施形態に限定されるものではない。
【００４１】
図６は、本発明に係る電子機器の一実施形態である携帯電話機を示している。
図６に示す携帯電話機１３０は、本体部１３１と、これに開閉可能に設けられた表示体部１３２とを有する。表示装置１３３は、表示体部１３２の内部に配置され、電話通信に関する各種表示は、表示体部１３２において表示画面１３４によって視認できる。本体部１３１には操作ボタン１３６が配列されている。
【００４２】
表示体部１３２の一端部にはアンテナ１３７が伸縮自在に取付けられている。表示体部１３２の上部に設けられた受話部１３８の内部には、図示しないスピーカが配置される。
また、本体部１３１の下端部に設けられた送話部１３９の内部には図示しないマイクが内蔵されている。
表示装置１３３は、例えば、図１に示す液晶表示装置１を用いて構成できる。この液晶表示装置によれば、性能や価格に対応する最適な種類および数の光源を用いた照明装置を備えたものとなる。従って、この液晶表示装置を用いて構成された電子機器においても、十分な表示性能が得られる安価なものとなる。
【００４３】
（変形例）
なお、電子機器としては、以上に説明した携帯電話機等の他にも、パーソナルコンピュータ、液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【図面の簡単な説明】
【００４４】
【図１】本発明の電気光学装置に係る液晶表示装置の第１実施形態を示す平面図である。
【図２】本発明の電気光学装置に係る液晶表示装置の第１実施形態を示す側面図である。
【図３】図１に示す液晶表示装置を構成する配線基板の平面構造を示す図であって、図１の裏面側から見た配線基板の下面図である。
【図４】図２に示す配線基板を電気光学パネルに組み込んだ際の側面図である。
【図５】図４の要部を示す拡大側面図である。
【図６】本発明に係る電子機器の一実施形態を示す斜視図である。
【図７】照明装置の光源としてＬＥＤが接続された回路の一例を示した図である。
【図８】本発明の原理を説明するための図であって、電圧電流特性曲線（Ｉ−Ｖ特性）を示したグラフである。
【符号の説明】
【００４５】
１  液晶表示装置（電気光学装置）、２  液晶パネル（電気光学パネル）、３  ＦＰＣ基板（配線基板）、４  対向基板、５  照明装置、６  素子基板、１８  入力端子、１９  制御回路部、２１  出力端子、２３  駆動用ＩＣ（駆動回路部）、２４  ＡＣＦ、２６  導電粒子、２７  ベースフィルム、２８  保護膜、３２  回路、３３  電圧調整手段、３４  電源用ＩＣ、３５  制御用ＩＣ、３６  ＬＥＤ（光源）、３７  配線パターン、  ４５  隙間領域、１３０  携帯電話機（電子機器）
【図１】
2007065133.tif 000003
【図２】
2007065133.tif 000004
【図３】
2007065133.tif 000005
【図４】
2007065133.tif 000006
【図５】
2007065133.tif 000007
【図６】
2007065133.tif 000008
【図７】
2007065133.tif 000009
【図８】
2007065133.tif 000010